(57)【特許請求の範囲】
【請求項１】
円筒状の圧縮コイルバネを押圧体とし、この押圧体のコイル下部は一定の巻きピッチを基本とし、コイル頂点外径を約１０ｍｍとするように、コイルバネ上部を半円球形状に巻き込んで、その巻き込み部の半円球形状の部分で巻きピッチ角を減縮しながら、コイル頂点における巻きピッチ角をゼロにして、コイルのたわみによる鋼線のねじれをなくして剪断応力を消去し、かつ反対方向へ作用する押圧力がバネ軸と同じ方向に向くようにコイル頂点を水平に形成し、コイル円筒部の平均径を座巻部共約２８〜３８ｍｍとし、コイルの高さが約４．５〜１１ｃｍで、コイル鋼線径が約１．８〜２．６ｍｍで、バネ定数を約０．４〜１．４Ｎ／ｍｍの範囲とし、この押圧体の圧縮コイルバネを固定する台座として、身長方向に全身が乗る大きさの棒状台座を複数配列し、この棒状台座を２〜８列に並べる形態では、この棒状台座の上面を身長方向の仰臥背面の体型曲面に近似する曲面に形成し、仰臥の全身が乗って仰臥時の脊柱部位に触れないように脊柱部位に沿う空間を設け、脊柱部位をはさんで左右対称に身長方向に２〜８列の偶数列に並べて固定し、その並べた台座曲面上に、前記押圧体の圧縮コイルバネを約６０〜２５０個用いて、約３．５〜６．５ｃｍのコイル間隔で連続的に配置し、コイル頂点を結ぶ線形が、背面の体型曲面に対して近似してマット状になるようにコイルバネを立設し、又は、前記棒状台座を１０〜１２列に並べる形態では、仰臥時の脊柱部位に触れてもよいように、前記２〜８列並べる形態の台座面の曲率に比べて台座面の曲率を小さくして前記棒状台座を等間隔に並べ、その緩い曲面の台座面上に、約２５０〜３５０個のコイルバネを連続的に配置して、コイル頂点を結ぶ線形が体型に対して緩い曲面のマット状になるようにコイルバネを立設し、前記棒状台座２〜８本及び１０〜１２本の両形態共に、安静の状態の体重又は荷重がコイルバネ１個ずつに分散して得られる押圧力が、各部位に対して相対的な等分布の強さで押圧して筋を伸長することを特徴とするしこり発見ほぐし機構。
【請求項２】
身体各部位の深くて強い部位を限定して、一般的な最大血圧である約１２０ｍｍＨｇ以上の強さまで押圧する円筒状の圧縮コイルバネを押圧体とし、この押圧体のコイル下部は一定の巻きピッチを基本とし、コイル頂点外径を約１０ｍｍとするように、コイルバネ上部を半円球形状に巻き込んで、その巻き込み部の半円球形状の部分で巻きピッチ角を減縮しながら、コイル頂点における巻きピッチ角をゼロにして、コイルのたわみによる鋼線のねじれをなくして剪断応力を消去し、かつ反対方向へ作用する押圧力がバネ軸と同じ方向に向くようにコイル頂点を水平に形成し、コイル円筒部の平均径を座巻部共約３２〜４０ｍｍとし、コイルの高さが約９〜１３ｃｍで、コイル鋼線径が約２．３〜２．９ｍｍで、バネ定数を約１．４〜２．０Ｎ／ｍｍの範囲とし、この押圧体の圧縮コイルバネを固定する台座として、棒状で台座長さを約２０〜９０ｃｍとし、台座の上面を、対象とする身体部位に合う曲面に形成し、その棒状の台座を単数又は複数列に並べて形成する台座面上に、コイル間隔を約５〜６．５ｃｍとして約１〜２０個立設し、約５０ｋｇ超の載荷重が、コイルバネ１個当り、一般的な最大血圧である約１２０ｍｍＨｇ以上の強さまで押圧して筋を伸長することを特徴とするしこり発見ほぐし機構。
【発明の詳細な説明】
【技術分野】
【０００１】
（イ）本発明は、持続する筋肉の緊張や長期にわたる拘縮過程やそれらの結果のしこり等において、ほぼ例外なく異常な内圧が潜在して各部位にいろいろな強さでかかっている状態に対し、一個のコイルバネの押圧力を、必要に応じて、筋線維を取り巻く毛細血管内圧とされる約３０ｍｍＨｇ以下に下げて毛細血管のはたらきを助け、最大血圧の標準値とされる約１２０ｍｍＨｇ以上の強さへと、不調時に内在する体内圧が刻刻と変化する状態にも順応できて、かつ筋の付着の方向へと走行する筋肉を伸長するため、筋肉の伸縮方向に沿うような押圧力に変換する、しこり発見ほぐし機構に関する。
【背景技術】
【０００２】
従来、マッサージ器やツボ押し具、低周波、牽引具等の健康器具や治療器具及び理学療法器具など多数知られているが、その原理は電気エネルギーから変換された振動であったり強い力で関節ごと引っ張ったり、屈伸させる、またはゴム等弾性突起型によって必要とされる刺激を積極的に注入する方法で、各種治療で改善効果を得るためにすべてにおいて皮膚を通して大きな外力で筋肉を刺激し、健康維持においても皮膚を通して刺激して必要な外力を筋肉へと注ぎ込み、改善などは、その外力を累積させて膨大なエネルギーをもって成されるものであるが、従来の技術はその大きな外力をつくって、つくった外力を、体内に潜在する内圧に適合させるという「順応」に関係なく直接的で強制的に身体に注ぎ込んでいた。
そこで、本発明のしこり発見ほぐし機構の前身として、同一発明者が平成１３年９月１１日付で筋肉伸張押圧機構を出願して（特開２００３−７９６９７）、平成１８年９月２９日に登録された（特許第３８６０９８２号）。この特許発明は、大きな「力」を、最大筋力や絶対筋力に対応する強さのコイルバネにより、反射反応することなく筋肉につたえて、大きな張力を出力する筋肉を押圧して伸張するものである（特許文献１）。本発明は、大きな「力」を、筋肉内の毛細血管内圧等に対応するソフトな押圧から強い押圧に変換し、変化する身体の状態の体圧に対応して筋肉の伸長まで行うことができ、かつ筋肉が許容する押圧力等を調べて、必要に応じて計数化して「力」の配分の精度を上げることが単純化でき、安全で使用を簡単にする器具をめざす。
【特許文献１】特許第３８６０９８２号
【発明の開示】
【発明が解決しようとする課題】
【０００３】
（イ）一般的に健康器具等は体調を取り戻したいときや不調時に用いるが、その不調時は、生活活動における生体の化学反応として燃焼生成物の水（Ｈ２Ｏ）等が筋肉内に日々蓄積し、筋肉内に残留した（Ｈ２Ｏ）等は筋肉組織にむくみとして現れて多くの細胞に余分な内圧としてすでに掛かっていて、そこに、既存の健康器具等の振動性や動的な力による刺激が入ると、必ず、残留した筋細胞の外にある余分な水分子（Ｈ―Ｏ―Ｈ）の間を通過してから細胞等に達するため、その水分子間を通過する間に残留した水分子が「加えた振動」等をエネルギーとして受け取ることになり、残留した「水分子のスパン」と「水分子の動きまわる範囲」を大きくする物理化学現象が起って、これらの現象で皮膚内が膨張し、皮膚や筋肉等にかかる異常な内圧がさらに上がった。
（ロ）浮腫み等の位置関係は、皮膚と骨の中間の筋肉にあって、筋肉を膨らませるようにはたらき、「不調部位の筋肉」は骨（重心）から離れて「骨からの作用長」を大きくし、筋肉は、正常時の重心より大きくなった「長さ」の分だけ余計にはたらかされ、重心の骨から離れた分を支え続けて正常のときの「重さ×正常な長さ」のはたらきの他に「重さ×離れた分の長さ」が、秒数に換算された時間で上乗せとなり、筋肉が支えようとする重さが増えて、さらに「疲労させる」というよくない状態に入っているところに振動を掛けると、振動の加速度が加わって「重さ×速さ」で「運動量」が大きくなり、離れた分の振れる負担が重なって、よくない状態を増幅させることが多かった。
（ハ）また、体内に残留した水分子がエネルギーを受け取って水分子のスパンが大きくなることは温度が上昇する化学原理でもあり、この場合は僅かでも微熱を誘発することを意味し、事実、既存の健康器具等を使用していくと、次第に身体の張りが増していくと同時に、不調の部位の熱感が強まっていく場合が多かった。
（ニ）すべての健康器具等は、共通に外から皮膚を通して振動や力をかけるが、潜在するいろいろな「許容する強さ」に合わせて、簡単に、「力」等をかける器具がなかった。
（ホ）体内に残留した燃焼生成物（Ｈ２Ｏ）等は、体内に止まっている月日が少なければ異常にやわらかく、年月が経つにつれて粘性が強まり圧痕浮腫（参考文献：正しい体液・電解質のモニタリング；Monitoring Fluid and Electrolytes Precisely，P.４８)に進行し、長期になると硬さをまして硬性浮腫（前参考文献：同Ｐ．４８）となり、そうして拘縮を経て筋骨化へと進行する過程において、水分が貯留した変性過程の初期段階からそれぞれの状態を知って改善する必要があるが、そのような早い段階の変化を数値に変換して確認できる器具がなかった。
（ヘ）治療用の屈伸運動器具の使用は、一般的に筋肉の縮みが開放されないで弾力性が低下した状態にあるとき用いるため、斜めに回転を生む筋肉が縮んで硬さを増している状態でも引っ張ることになり、その引っ張り力は、「筋束」という「筋を構成する一つの単位」の長軸方向にかかるだけでなく、斜角を有する筋束にその斜角分の横方向分力やねじりが発生し、その横方向分力等は筋束を剪断する力として働いて侵害となり、治療等を中断しやすかった。
（ト）すべての筋肉には、関節が決められている方向に動くように、筋肉の中の筋線維群の束が「筋束」となって関節間を決められた方向につながっていて「筋走行」を形成し、筋肉の不調等はその筋走行の方向に縮むことから、筋肉に掛ける力の方向もそれらの筋走行に沿うほど効果を上げるが、多く用いられている振動の力は皮膚の接触面から１８０°に広がりながら伝わるために、いろいろな方向から伝わって合力されても、筋走行に対して方向が合わずマイナスに作用する振動力となることが多かった。
（チ）従来の技術で「力」を使うとき、筋肉の力の「筋張力」が手技等の力に対して何倍も強すぎることや勘に頼っていたため、相当な力を注いでもなかなか改善に結びつかなかった。
（リ）また、不調時に手で持って押す器具や、屈伸運動を伴う器具などは、身体を動かしながら用いるため、うまくいかないことが多かった。
（ヌ）このようなことから、購入後使用できなくなっていくことが多くなっていた。本発明は、これらの問題点を解決するためになしたものである。
【課題を解決するための手段】
【０００４】
円筒状の圧縮コイルバネを押圧体とし、この押圧体のコイル下部は一定の巻きピッチを基本とし、コイル頂点外径を約１０ｍｍとするように、コイルバネ上部を半円球形状に巻き込んで、その巻き込み部の半円球形状の部分で巻きピッチ角を減縮しながら、コイル頂点における巻きピッチ角をゼロにして、コイルのたわみによる鋼線のねじれをなくして剪断応力を消去し、かつ反対方向へ作用する押圧力がバネ軸と同じ方向に向くようにコイル頂点を水平に形成し、コイル円筒部の平均径を座巻部共約２８〜３８ｍｍとし、コイルの高さが約４．５〜１１ｃｍで、コイル鋼線径が約１．８〜２．６ｍｍで、バネ定数を約０．４〜１．４Ｎ／ｍｍの範囲とし、この押圧体の圧縮コイルバネを固定する台座として、身長方向に全身が乗る大きさの棒状台座を複数配列し、この棒状台座を２〜８列に並べる形態では、この棒状台座の上面を身長方向の仰臥背面の体型曲面に近似する曲面に形成し、仰臥の全身が乗って仰臥時の脊柱部位に触れないように脊柱部位に沿う空間を設け、脊柱部位をはさんで左右対称に身長方向に２〜８列の偶数列に並べて固定し、その並べた台座曲面上に、前記押圧体の圧縮コイルバネを約６０〜２５０個用いて、約３．５〜６．５ｃｍのコイル間隔で連続的に配置し、コイル頂点を結ぶ線形が、背面の体型曲面に対して近似してマット状になるようにコイルバネを立設し、又は、前記棒状台座を１０〜１２列に並べる形態では、仰臥時の脊柱部位に触れてもよいように、前記２〜８列並べる形態の台座面の曲率に比べて台座面の曲率を小さくして前記棒状台座を等間隔に並べ、その緩い曲面の台座面上に、約２５０〜３５０個のコイルバネを連続的に配置して、コイル頂点を結ぶ線形が体型に対して緩い曲面のマット状になるようにコイルバネを立設し、前記棒状台座２〜８本及び１０〜１２本の両形態共に、安静の状態の体重又は荷重がコイルバネ１個ずつに分散して得られる押圧力が、各部位に対して相対的な等分布の強さで押圧して筋を伸長することを特徴とするしこり発見ほぐし機構に係るものである。
また、身体各部位の深くて強い部位を限定して、一般的な最大血圧である約１２０ｍｍＨｇ以上の強さまで押圧する円筒状の圧縮コイルバネを押圧体とし、この押圧体のコイル下部は一定の巻きピッチを基本とし、コイル頂点外径を約１０ｍｍとするように、コイルバネ上部を半円球形状に巻き込んで、その巻き込み部の半円球形状の部分で巻きピッチ角を減縮しながら、コイル頂点における巻きピッチ角をゼロにして、コイルのたわみによる鋼線のねじれをなくして剪断応力を消去し、かつ反対方向へ作用する押圧力がバネ軸と同じ方向に向くようにコイル頂点を水平に形成し、コイル円筒部の平均径を座巻部共約３２〜４０ｍｍとし、コイルの高さが約９〜１３ｃｍで、コイル鋼線径が約２．３〜２．９ｍｍで、バネ定数を約１．４〜２．０Ｎ／ｍｍの範囲とし、この押圧体の圧縮コイルバネを固定する台座として、棒状で台座長さを約２０〜９０ｃｍとし、台座の上面を、対象とする身体部位に合う曲面に形成し、その棒状の台座を単数又は複数列に並べて形成する台座面上に、コイル間隔を約５〜６．５ｃｍとして約１〜２０個立設し、約５０ｋｇ超の載荷重が、コイルバネ１個当り、一般的な最大血圧である約１２０ｍｍＨｇ以上の強さまで押圧して筋を伸長することを特徴とするしこり発見ほぐし機構に係るものである。
【発明の効果】
【０００５】
本発明では、仰臥位等で安静にして用いる場合や座位等や手などでささえて押圧する場合など多数の実施形態を考慮しており、それらのなかから幾つかの実施例の効果を挙げ、そのコイルバネの接触点による「すべらせない押圧」と「筋肉等の生理作用の既存値」と対応し、それがＳＩ系による自然科学等の基礎的数値（単位）の換算で証明できることから、代表例の計算例を交えて、適宜段落番号を付して説明する。
【０００６】
（イ）仰臥位等において、本発明によって小さい仕事率に変換された押圧力は、仰臥位の呼吸によるゆっくりとした心臓の鼓動で身体をわずかずつ上下運動させ、かつ心臓の鼓動に近似して規則性をもってつづき、等間隔又はそれに近いコイルバネ群が皮膚面を押して、押された皮膚層は規則的で緩やかな波形を形成して静かに伸び、その伸びは筋肉の柔らかさの状態に応じて深部へと均等に近い状態で伝わり、静かな状態におけるコイルバネで、押圧をつづけることによって緩やかな筋肉の伸び縮みが続く。
（ロ）その緩やかな筋肉の伸び縮みは、筋線維群のゆるやかな伸縮の集まったものであり、１本ずつの筋線維を取り巻く毛細血管網がそれに呼応して毛細血管も伸縮する構造から、毛細血管等への血流も促進され、アルブミン等も運搬され、その濃度が適量に上がると、そこで上がった浸透圧が水分貯留のＨ２Ｏ等を吸い取って尿系で排泄するという、備わっているシステムがもどり、月日の浅い水分貯留であれば比較的簡単に、時間にして約１〜２時間のその約２回〜１０回以内くらいで解消できるもので、これについても、全身にできるだけ均等にある程度長い時間、そっと血流の流れを手助けすることで体内の自然の現象の一つとしての浸透圧や濃度が戻るということで、筋肉に粘性が強まって少しずつ硬さを増しても、期間は伸びるが、くりかえすことで改善してゆくものである。
（ハ）筋肉は深部から拘縮し、拘縮に変性した深層筋の上には硬性浮腫という少し硬さを増したすがたが存在し、その上は圧痕浮腫という少し柔らかいがかたまろうとしているものがあり、皮膚層やごく浅い部位に水分が貯留すると非常にやわらかくなり、そのように「硬いもの」に変性していこうとしているすがたが積み重なるように存在し、相当な施術・治療等を受けた場合には、水分貯留性あるいは圧痕浮腫等の改善していることもあるが、普通では皮膚層から直ぐ拘縮ということはないに等しく、これらの各変性が存在すると体内の組織にはすでに異常な圧がかかっているため押圧を弱くする必要があり、仰臥位になるだけで、本発明によって体内の「異常な内圧」を差し引いた強さの押圧をつづけることができて、これらの各変性が徐々に改善してゆくものである。
（ニ）拘縮部位も「必死に呼吸をしている」からこそ拘縮としても「生きつづけ」、然して拘縮として「できるはたらき」をつづけているもので、それに対して本発明による適度な押圧をつづけていくと、酸素や栄養物が不足している拘縮した筋肉は待ち望んでいたように、拘縮部位の低下した細胞呼吸が少しずつではあるが改善していくものである。
（ホ）拘縮を可逆性にするためには筋肉を動かすことが基本であるが、改善のときでも、筋肉が、まだ連続してエネルギー源のＡＴＰを十分補充できるとは限らず、身体の運動は不足ぎみなＡＴＰを消費することから、本発明ではＡＴＰを節約するように身体の運動によらず、できるだけ安静のかたちをとり、仰臥位における押圧等で筋を伸長することにより「安静位での筋線維の伸縮運動」≒「筋肉を動かす」となり、それをつづけていくとＡＴＰをあまり消費しないで筋線維が伸びた状態を増やすことができ、興奮収縮連関という作用により、「筋線維が伸びたとき」すなわち「筋の弛緩時」にはカルシウムイオン（Ｃａ２＋）が邪魔となってＣａ２＋を閉じ込める作用が備わっていて、Ｃａ２＋が格納されるサイクルの条件ができることになり、根気よく筋の伸長をつづけることでＣａ２＋の格納サイクルが安定してくる（参考文献：新生理学．第２版，Ｐ．１０３）ことも自然の原理である。
（ヘ）本来、筋は活動時の「伸縮運動」に備えて、筋が収縮して一仕事をするためになくてはならない「弛緩している」という「スタンバイ状態」を維持できるように、休息や就寝中に弛緩に戻り柔軟さを保つのであるが、不調を経験した筋は、早朝や起床前にふくらはぎ部がつることもあるように、活動中にどんなに良い運動をしても、安静時や休息時に収縮していくことが習慣化し、長期にわたって習慣化した収縮は自力での改善がほぼ不可能になるため、本発明の図４および図５に記載の、腰部と頸部の２箇所を凸形にすることによって、多くの臓器の位置する背中の荷重を腰部の方に多く分散するようにし、筋が働いていない就寝中においても心臓等に不要な刺激をしないで筋の伸長を可能にし、カルシウム沈着等の改善に必要な多くの時間を、長期にわたって継続する時間をつくることができ、筋肉が慢性的に収縮することから開放できるものである。                              
（ト）本発明のコイルバネの上部の「かたち」により、ほぼ等間隔の身体接触面に密着したようになってはたらく押圧力が、仰臥位の体重を「力」ニュートン（Ｎ）の値に換算して体内圧等に照らし合わせることができ、その一例として、７０ｋｇの体重を約１００個のコイルバネで受ける場合、その体重がコイルバネ群にほぼ均等に分散するとして、体重７０Ｋｇは、ＳＩ基本単位の質量（Ｋｇ）に重力（ｇ）がかかることで、着衣など見越して安全側にみて、かつわかりやすく重力（ｇ）をおおよそ１０ｍ／ｓ２にするとよく、この場合の体重７０Ｋｇの「力」ニュートン（Ｆ）は、「力」Ｆ≒７０ｋｇ×１０m／s ２≒７００Ｎ（Ｋｇ・m／s ２）で、１個当りの力（F´）は、Ｆ´≒７００Ｎ／１００個≒７Ｎ／個となる。また、仰臥位のときの身体は静止に近く、平均２秒に１回の呼吸による呼息と吸息でおおよそ１ｃｍ前後の上下運動が見込まれることから、呼吸により、本発明のコイルバネで大きい力を「重さ×微小な加速度」でゆっくりとした力に変え、動く長さを小さくして「力×小さい距離」とし、そこで得られる体重７０ｋｇのする物理量の仕事ジュール（Ｊ）は、仕事Ｗ≒７００Ｎ×０．０１ｍ  ≒７Ｊ［N・m］となり、単位当り１秒の平均仕事率Ｐは、仕事Ｊを仰臥位時の呼吸の２秒で割ると、平均仕事率Ｐ≒７Ｊ／２ｓ≒３．５Ｗ［Ｊ／ｓ］となり、１００個使用におけるコイルバネ「１個当りの仕事」ジュール（Ｊ）は約０．０７Ｊ／個［Ｎ・ｍ］で、「１個当りの平均仕事率」Ｐは約０．０３５Ｗ／個となり、この小さい仕事率がいろいろな体内圧に対応できるものである。
（チ）毛細血管では、「脈動」がなく静かな微小な流れの状態で物質の透過性を高めて栄養物の交換をよくしていて、そのはたらきのじゃまにならないで、筋を伸長させるため、毛細血管の血圧値３０(〜１５)ｍｍＨｇに対して、本発明の圧縮コイルバネによる実施において約３０ｍｍＨｇの押圧力を目指したところ、簡易体圧測定器（例・セロ）の測定では平均６０〜２５ｍｍＨｇ前後となり、静止の体重から生まれる押圧力を、ＳＩ系の圧力Ｐａ（パスカル）の換算で、毛細血管等の血圧に対比でき、一例として、２０４個のコイルバネ使用で、前項（ト）に記載の体重７０ｋｇの「力」７００Ｎは、１個当り、７００Ｎ÷２０４個≒３．５Ｎ／個となり、コイル接触径３４ｍｍの場合、その接触面積はπ×（３．４／２）２≒９．１ｃｍ２／個で、１個当り約３．５Ｎ／９．１ｃｍ２で、１ｃｍ２当り０．３９Ｎ／ｃｍ２となる。一方、１Ｎ（ニュートン）が１ｍ２にかかる１Ｐａ（Ｎ／ｍ２）の値は、ＳＩ系の組立単位による換算率より、１Ｐａ=７．５００６２×１０−３ｍｍＨｇ／ｍ２で、この１ｍ２当りの圧力値を１ｃｍ２当りに変換すると、７．５００６２×１０−３ｍｍＨｇ×１０４ｃｍ２（１ｍ２）＝７５．００６２ｍｍＨｇ／ｃｍ２の値が得られ、コイルバネの１ｃｍ２当りの平均の圧力ｐ’は、ｐ’≒０．３９Ｎ／ｃｍ２×７５．００６２ｍｍＨｇ／ｃｍ２≒２９ｍｍＨｇ／ｃｍ２となり、血管内径が約８μｍの毛細血管にかかるとされる約３０ｍｍＨｇの血管内圧はどこでもほぼ同じ圧であるから、２９ｍｍＨｇ＜３０ｍｍＨｇとなり、図４，図５に示す背部の横軸線ＡＢ間において、腰部を主な支点として，脊柱の生理的彎曲の形態にすることによって押圧力を腰部と臀部にある程度分散できて、簡易体圧測定器の実測では背部でおおむね３５〜２５ｍｍＨｇ前後となり、長時間の使用が可能になった。
（リ）また、電気の安全管理からもこの強さについて証明でき、上記のコイルバネ１個当り約０．０３５Ｗの仕事率は、電気の安全管理に用いられる人体の抵抗値として、乾燥で約４０００Ωとされているが、水分の貯留として、安全側にやや低めの値に湿潤値の約２０００Ωを例にとり、電力(W)＝（電流2×抵抗値）から、電流2＝電力(W)／抵抗値Ωとなり、この約０．０３５Ｗの仕事率を電流に換算すると、電流Ａ≒√（０．０３５/２０００Ω）≒√（０．００００１７５）Ａ≒４ｍＡが得られ、「関知電流」として示されている値は、交流では１ｍＡとされて、直流では５ｍＡとされ、直流は一定方向の流れを指し、本発明による仕事率は１秒間同じ方向を向くことから直流に分けられ、その直流の規定値５ｍA以下であることからも電流的に関知しないと証明され、普通では、この仕事率０．０３５Ｗの強さによる不要な反応が起らないで、筋の伸長をつづけることができる。
（ヌ）長期にわたる慢性痛等を改善して仕上げの段階にはいったとき、特に肩部、臀部、腰部、足裏部の深部に骨と勘違いするほど硬くなったしこりや拘縮塊がほとんどの事例で確認され、それらの硬い拘縮塊等の中心に向かって約数十キログラム超の強い力で、コイルバネがはじけず、ゆっくりとコイルの密着ができるようになったとき、コイルバネの蓄えたエネルギーが大きいほどじっくりと侵害性に反応することなく、拘縮塊等をほぐしていくことができ、これらの現象は「絶対筋力」の存在から年齢や性別にあまり関係がなく、この一点に集中する押圧は不調を改善する仕上げの「みちすじ」となり、長期の不調ほど「不調」を繰返す頻度が高くなるが、一度できあがったその改善する「みちすじ」をとることで、「動き」の後で起りやすい不調が繰返しても、そのたびに、ごく簡単に改善することができる。
（ル）これらの効果の一例をあげると、同形態に大きなエネルギーが蓄えられるソフトなコイルバネを用いた場合、深部で肩甲骨の裏側のため常に圧迫を受けて拘縮になりやすい肩甲下窩（Fossa subscapularis）に付着して手技では手のとどかないその深い裏側の筋肉群に、肩甲骨の内側縁（Margo medialis）を介して刺激が回り込む現象で、刺激がとどいて柔軟性に戻すことができ、肩甲骨の関節可動域を復活させて正常な呼吸を取り戻し、その結果、「充分な酸素を配分するシステム」を取り戻すことができるものである。
（ヲ）本発明のコイルバネと台座により空間ができて空気につつまれ、その空気は保温と冷却を兼ね備えていて身体を程良くつつみこみ、ソフトなコイルバネほど発汗による背中側や臀部の負担を軽くし、かつ自動車シートでは車の振動をソフトな刺激に変換して疲労の原因の１つを除去でき、椅子等では姿勢を正そうとするときかなりの努力がいるが、座布団型では、自然に垂直に近い姿勢が保たれて骨盤帯にはたらくトルクが減少して疲れにくくなり、脳梗塞等の後遺症などの座椅子生活等においても、長時間の使用が可能になる。
（ワ）衣服等による静電気の帯電が続くと筋肉疲労を助長するため、金属等を接触して身体に溜まった静電気を取り去ると、身体あるいは強く帯電した部位が軽くなることから、コイル鋼線をアースでつないで放電できる状態にして、腰掛ける仕事などの使用で帯電がなくなり疲れにくくなる。
（カ）身体の不調を改善するためには、大きなエネルギーを要すことは多くの機器で実証されているが、本発明は、コイルバネが受け取った大きなエネルギーを、居ながらにして自在に小さい仕事率にコントロールでき、その得られたエネルギーを体調に合わせて適材適所に放出でき、かつ静かに深部に到達でき、その使用及び管理が簡単で安全な方法でごく簡単に計数化できるものである。
【発明を実施するための最良の形態】
【０００７】
以下、本発明の実施の形態について説明するが、実施例が多岐にわたるため、コイルバネと台座の基本部分をそれぞれ説明し、その組合せを五つの実施形態に分け、代表的な実施例を実施形態ごとに分けて説明する。
０００８  コイルバネの実施形態              図１  〜図３
０００９  身長方向台座の実施形態            図４  〜図５
００１０  ＜第一実施形態＞第一実施例  （４連型）      図６  〜図８
００１１  ＜    〃      ＞第二実施例  （６連型）      図９  〜図１０
００１２  ＜第二実施形態＞            （１０連型）    図１１〜図１３        
００１３  ＜第三実施形態＞            （Ｖ型）        図１４〜図１６
００１４  ＜第四実施形態＞第一実施例  （台形型）              図１７
００１５  ＜    〃      ＞第二実施例  （座布団型）    図１８〜図１９
００１６  ＜    〃      ＞第三実施例  （平行２列型）          図２０    
００１７  ＜    〃      ＞第四実施例  （平行３列型）          図２１              
００１８  ＜    〃      ＞第五実施例  （枕型）                図２２    
００１９  ＜    〃      ＞第六実施例  （携帯凸型）            図２３
００２０  ＜    〃      ＞第七実施例  （携帯凹型）            図２４      
００２１  ＜    〃      ＞第八実施例  （まごの手型）          図２５    
００２２  ＜第五実施形態＞第一実施例  （手持ち施術型ａ）      図２６      
００２３  ＜    〃      ＞第二実施例  （    〃      ｂ）      図２７            
００２４  ＜    〃      ＞第三実施例  （    〃      ｃ）      図２８
００２５  コイルバネの適用範囲の実施形態              図２９〜図３０  
【０００８】
コイルバネの実施形態
（イ）押圧体に最も適する圧縮コイルバネのコイル材料は、一般的に横弾性係数Ｇ＝６８５００Ｎ／ｍｍ２のバネ用ステンレス鋼線とし、必要に応じて横弾性係数Ｇ＝７８５００Ｎ／ｍｍ２のピアノ線等で円筒状に形成する (請求項１記載)。
（ロ）押圧体とするコイルバネを図１〜図２に示し、コイルバネの種類は円筒状の圧縮コイルバネ（１）で、コイル頂点（１ａ）が押圧点のはたらきをするように、コイルバネの上部を半円球形状或いは半楕円球形状に巻き込んでコイル最上部（１ｂ）として、コイル頂点外径（１ｉ）を約１０ｍｍに形成し、コイル有効部（１ｃ）を円筒状として、座巻部（１ｍ）とその付近のピッチ角（１ｋ）が移行する部分を含めて円筒状の固定部（１ｄ）として、主に、コイル頂点（１ａ）、コイル最上部（１ｂ）、コイル有効部（１ｃ）、コイル固定部（１ｄ）の四つの部分で構成する(請求項１記載)。
（ハ）図３は、コイル最上部（１ｂ）とコイル有効部（１ｃ）の上部付近を示し、コイル最上部（１ｂ）を半円球形状或いは半楕円球形状（１ｂ）に３巻以上で巻き込んで、たわみ減削部（１６ａ）と非たわみ部（１６ｂ）に分け、たわみ減削部（１６ａ）では、コイル有効部（１ｃ）がたわむときのコイル鋼線のねじれによるせん断応力（Ｃ）で、接触面が侵害されないように、コイル平均径（１ｇ）とピッチ角（１ｋ）を縮めながらコイルバネのたわみを減少して、コイル鋼線のねじれの縮小（Ｄ）につなげ、非たわみ部（１６ｂ）では、ピッチ角（１ｋ）をゼロにちかづけながらコイル頂点（１ａ）でゼロにして、コイルのたわみを消して鋼線のねじれによるせん断応力（Ｃ）を消去し、かつ鋼線の間隙を狭めて鋼線が接近することで壁のような作用をもたせ、コイル頂点（１ａ）では、コイルバネの押圧する方向がバネ軸の延長方向に作用するように、コイル頂点（１ａ）を水平に形成して、純粋な押圧力に近づけるようにする (請求項１記載)。
（ニ）一般的に、コイル有効部（１ｃ）は、一定の巻きピッチ（１ｊ）を基本として、４巻き以上の有効巻数で形成し、コイル鋼線径はｄ＝２．０ｍｍを基準として、ｄ＝１．８〜２．６ｍｍの範囲とし、バネ定数は通常０．７Ｎ／ｍｍ以上として約１．４Ｎ／ｍｍを上限として、０．７〜１．４Ｎ／ｍｍの範囲とする(請求項１記載)。
（ホ）一般的に、コイル鋼線径ｄとコイル平均径Ｄ（１ｇ）の関係は、代表例として、鋼線径がｄ＝２．０ｍｍの場合は、Ｄ≒３０．５ｍｍのコイル平均径を基準としてＤ≒３０〜３１ｍｍの範囲とし、コイル平均径（１ｇ）がＤ≒３１ｍｍを超す場合はｄ＝２．３ｍｍ以上としてｄ＝２．６ｍｍを上限とし、コイル平均径は大きくてもおおむねＤ≒３８ｍｍ以下とし、鋼線径ｄ＝１．８ｍｍの場合はコイル平均径（１ｇ）をＤ≒２８ｍｍとして、全体的に、コイル平均径の範囲をＤ≒２８〜３８ｍｍとする(請求項１記載)。
（ヘ）コイルの高さ（１ｈ）では、鋼線径ｄ＝２．０ｍｍの場合８ｃｍ以下とし、全体的に、コイルの高さ（１ｈ）の範囲を４．５〜１１ｃｍとする(請求項１記載)。
（ト）仰臥位等の体重が多数のコイルバネに分散してコイルバネ１個当りのたわみが小さくなる場合は、コイルのたわみ能力の一部分だけしか使わず、荷重計算で求めると有効巻数の値が小さく算出されて、身体に対して強めのコイルバネとなって実際と解離しやすくなるため、このような場合は荷重計算によらず、バネ定数と身体や筋肉の状態が比例関係にあることから、各身体の状態をバネ定数に照らし合せてコイルバネを設けるとよく、そのときのバネ定数と身体の状態の対比は、目安として、長期化した不調や体重増や年少者などではバネ定数はｋ≒０．７Ｎ／ｍｍ以下がよく、弱った筋力ではｋ≒０．４Ｎ／ｍｍまで小さくすることもあり(請求項３記載)、一般的にはｋ≒０．７〜１．４Ｎ／ｍｍがよく(請求項１及び／又は請求項４に記載)、強固な体型ではｋ≒１．４Ｎ／ｍｍ以上でもよく、その上限をｋ≒２．０Ｎ／ｍｍとするとよい(請求項５記載)。
（チ）ソフトにして能力を広げる場合は、コイル最上部の半円球形状或いは半楕円球形状の部分につながるコイル有効部（１ｃ）の巻きピッチ（１ｊ）を密にして、バネ定数として約０．４〜０．７Ｎ／ｍｍの範囲を目安とし、コイル有効部（１ｃ）の下部では、バネ定数を約０．８Ｎ／ｍｍ以上としてある程度の強さを維持しつつ、あまり強くならないよう約１．２Ｎ／ｍｍの範囲とし、コイルの高さはバネに蓄えられる弾性エネルギーを抑えるように大きくても約８ｃｍを目安に５〜８ｃｍの範囲とする (請求項３記載)。
（リ）小型にして汎用性をあげる場合では、押圧体とするコイルバネの高さをｈ≒５．５〜９ｃｍとして、コイル平均径を約３０〜３６ｍｍとし、コイル鋼線径が約２．０〜２．６ｍｍで、バネ定数を約０．７〜１．４Ｎ／ｍｍに限定する(請求項４記載)。
（ヌ）浅い筋肉が改善すると耐久力が向上し、強い押圧力が無反応で貫通して深い部位までとどくようになると強い押圧力を必要とすることが多くなることから、押圧の刺激を深部へと正確に伝えるため、コイルの高さを９〜１３ｃｍとして、コイル鋼線径をｄ＝２．３〜２．９ｍｍとし、コイル平均径が約３２〜４０ｍｍで、バネ定数が約ｋ≒１．４〜２．０Ｎ／ｍｍの強さのコイルバネとする(請求項５記載)。
（ル）コイルバネをマット状又はシート状となるように立設し、荷重等が多くのコイルバネに分散して１個当りのたわみ量が小さくなる場合は、その小さくなるたわみ量でコイルバネの条件を決めないほうがよいが、コイル１個当りの小さい荷重でたわみ量が大きければ押圧力をソフトにできるとの関係にあり、身体の状態とたわみ量を対比してみることもでき、コイルバネを調整するとき、たわみ量により比較検討して安全性を二重にできる。（ヲ）バネ定数とたわみ量の関係を、前項０００６の（ト）に記載の体重が７０Ｋｇの仰臥位の例で示すと、押圧体のコイルバネが１００個の場合、１個当りの力（F´）は、Ｆ´≒７００Ｎ／１００個≒７Ｎ／個となり、バネ定数をｋ≒０．７Ｎ／ｍｍとするときのたわみ量δは荷重／バネ定数（Ｆ／ｋ）の関係から、この場合、δ≒７Ｎ／０．７Ｎ／ｍｍ≒１０ｍｍのたわみ量が得られ、もっとたわみ量を大きくとれば不調時への押圧力を簡単に少なくでき、押圧力を強くしたい場合はたわみ量を少なくすれば強い反対方向の力となり、すべての試行において、鋼線のコイルバネを特定の状態の皮膚接触面に簡単に合わせられるこの例のように、たわみ量と対比して調整できる。
（ワ）身体に対するコイルバネのバネ定数ｋとピッチ角（１ｋ）の関係は、コイルの巻きピッチ（１ｊ）がコイル平均径Ｄの半分（０．５Ｄ）以下との条件から、コイル鋼線径が２．０ｍｍで、コイル平均径が約３０．５ｍｍの例では、バネ定数がｋ≒０．７Ｎ／ｍｍの場合コイルのピッチ角はα＝６．５°前後、バネ定数がｋ≒１．０Ｎ／ｍｍでピッチ角８．５°前後、バネ定数ｋ≒１．４Ｎ／ｍｍではピッチ角１０°前後で上限は１１°以下を目安として試算し、実施して身体の状態等と調整する。
（カ）仰臥位時の押圧力は、脊柱の構造に準じて相対的な等分布とし、腰椎部は脊柱管が膨大部であることから比較的強くでき、胸椎部は脊柱管が狭窄部のため弱くして、頸部はやや膨大部で少し強くてもよく、脊柱管が膨大部の腰椎部とやや膨大部である頚部を凸形にして、二つの凸形に挟まれた中間の胸背部を大きな凹曲線とし、後頭部（７ｈ）と臀部（７ｄ）も凹形に形成し、仰臥位になると自然に、脊柱管狭窄部の胸椎が自然体の脊柱後彎曲となって、荷重が相対的な等分布の押圧力に分散し、呼吸の上下する動きにより、約１〜２秒ごとに、体重がポテンシャルエネルギーをうむ位置に戻るコイルバネの強さを基本とする。
（ヨ）衣服等の摩擦による静電気は、静電容量的には数千ボルト或いは一、二万ボルトともされているが、ミトコンドリア内で水素イオンの流れのエネルギーでＡＴＰが生成される（１９７８年度ノーベル化学賞受賞ピーター・ミッチェル説）とのことから、身体に帯電する高電圧の静電気でその水素イオンの流れが阻害されるとＡＴＰの生成が低下することになるため、発生した高電圧の静電気を除去或いは静電気が帯電しないように、コイルバネをアースに接続するとよい。
（タ）コイル直径の仕上り誤差は、人体用であることからマイナス誤差は不必要な強さを増すためプラス誤差を認め、固定部を溝切りする場合においてもプラス誤差は対応できるので、プラス誤差を許容とする。
（レ）コイル頂点（１ａ）の巻き先端の鋼線切断面は、グラインダー等で面を取って面取りの後に残る角を目立てヤスリ等で丸みにするとよい。
（ソ）ｄ＝２．３ｍｍ以上の強いバネを、押圧施術用として安定して押圧するには握力６０ｋｇ以上が望ましいので、握力が大きくない場合はｄ＝２．０ｍｍの鋼線径がよい。
（ツ）押圧体は、基本的に、コイル有効部（１ｃ）をピッチ一定部（１ｅ）とするコイルバネ（１Ａ）とし、一方コイルバネ（１Ｂ）として、コイル有効部（１ｃ）の下部がピッチ一定部（１ｅ）で上部をピッチ変化部（１ｆ）として形成し、以下、特別の説明を付さない場合は、ピッチ一定のコイルバネ（１Ａ）を圧縮コイルバネ（１）とし、コイルバネ（１Ｂ）を用いる場合は「反射反応が高い」等の説明を付して記述することとする。また、圧縮コイルバネ（１）を単にコイルバネ（１）と記して簡略にする場合もある。
【０００９】
身長方向台座の実施形態
（イ）棒状の身長方向台座（２）を図４・図５に示し、仰臥位を主として、脊柱脇の体型の曲線形に合わせるように棒状の台座曲面（５ｂ）を形成し、同台座（２）を、脊柱に触れないで、脊柱部位をはさんで左右対称に２〜８本の偶数列に並べて、コイルバネの高さをできるだけ均一化し、その身長方向の台座面上に、コイル個数が約６０〜２５０個で、コイル間隔（６ｃ）を約３．５〜６．５ｃｍ前後として連続的に配置し、多数のコイル頂点を結ぶ線形が主に仰臥の背面の体型曲面に近似又は一致してマット状又はシート状になるように立設し、適宜ベッド型に組み立てて安全で安定して床面に設置できて、台座の着脱ができ、コイルバネ（１）も着脱自在にできる(請求項２記載)。
（ロ）ゆるやかなコイル頂点曲面（６ａ）を要す場合は、台座曲面（５ｂ）の曲率を小さくして背面の体型曲面に対して緩やかな曲面に形成し、約４〜６ｃｍ前後のコイル間隔（６ｃ）で、約２５０〜３５０個のコイルバネを、身長方向に１０〜１２列の偶数列に連続的に配置して、マット状又はシート状になるよう立設する (請求項３記載)。
（ハ）台座曲面（５ｂ）は接触部位（７）ごとに設定し、はじめに腰部（７ｅ）と頸部（７ｇ）を凸形にして、後頭部（７ｈ）を凹形とし、腰部（７ｅ）の中心を横軸Ａ（４ａ）とし、頸部（７ｇ）の中心を横軸Ｂ（４ｂ）とし、その横軸ＡＢ間（４ｃ）は背部の生理的彎曲部で凹形の部位にあたることから、背部（７ｆ）は押圧力が均等になるようにやや大きな凹曲線を設け、腰部（７ｅ）の凸形を決めるとき、臀部（７ｄ）の凹形を決め、つぎに大腿部（７ｃ）を凸形とし、ふくらはぎ部（７ｂ）は少し小さい凹形で、足・足首部（７ａ）を小さい凸形にして体型に合わせる。
（ニ）身長方向台座（２）の断面寸法は、コイルバネのかぶりと台座を切り欠いた台座曲面（５ｂ）の深さにより決まり、コイル鋼線径がｄ＝２．０ｍｍで、コイル平均径（１ｇ）がＤ≒３０．５ｍｍの例では、コイルのかぶりを３ｍｍほどとり、切欠いて充分な曲線形が得られるように最大６ｃｍほどの切欠きで、台座の最小仕上高（５ｈ）を約３〜４ｃｍ見込み、断面寸法は、高さが約９〜１０ｃｍで、厚さが約３．８〜４ｃｍがよい。
（ホ）コイル頂点曲面（６ａ）は、基本的に台座の曲線半径の原点と同じ同心円で設ける。
（ヘ）台座の後頭部（７ｈ）の端を少し高くすると使いやすいことから、図５に例示するように身長方向台座（２）にスロープ（５ｇ）を設けてもよい。
（ト）コイル平均径Ｄ（１ｇ）がＤ＝３０．５ｍｍの例で、コイル間隔（６ｃ）が６ｃｍ以内で、コイルの高さ（１ｈ）が７ｃｍを越えてくると、臀部（７ｄ）腰部（７ｅ）大腿部（７ｃ）の周辺に、上体の動き等によってコイル頂点（１ａ）が首振りを起こして隣接するコイル同士が絡むことがあり、コイルバネの絡み自体は効果的にさほどの問題はないが、管理上カバーを設けて絡まないようにするとよい。
（チ）身長方向の台座曲面（５ｂ）の設定について、身長方向をＸ座標とし、コイルの高さ（１ｈ）方向をＹ座標とし、横方向をＺ座標とし、身長方向台座（２）の足・足首部（７ａ）側端或いは頭部（７ｈ）側端を座標の原点として、横軸線の要素（４ａ，４ｂ，４ｃ）、曲線半径の要素、台座の仕上高（５ｈ）等の数値を座標としてあらわし、代表的な身長毎に設定しておくことで後の調整が簡単にできる。
【００１０】
＜第一実施形態＞第一実施例（４連型）
（イ）同例を図６〜図８に示し、仰臥位で振動を除去する全身用の４連型で、中心寄りの台座を内側台座（２ａ）とし、外側の台座を外側台座（２ｂ）として、脊柱を挟んで左右対称に各２本ずつ配置し、全体で、身長方向台座（２）を４列の偶数列に並べて形成する(請求項２記載)。
（ロ）左右の内側台座と外側台座の間隔（５ｆ）を平均６．５ｃｍにして平行に設け、左右とも横のコイル間隔（６ｃ）を約６．５ｃｍにする(請求項２記載)。
（ハ）中心線を挟む内側台座の間隔（５ｅ）は、仰臥位のとき、コイル頂点（１ａ）が脊柱に触れないで頸部（７ｇ）の中心を挟んであたって、下肢部が自然の広がりとなるように、後頭部（７ｈ）側を狭くして足・足首部（７ａ）を広げる。内側台座（２ａ）の開き具合はかなり重要となるので、広げすぎたりせま過ぎたりしないように設け、その内側台座の間隔（５ｅ）の代表例として、台座（２）の厚さが３．８ｃｍで長さが約１．５〜１．８ｍでは、頭部（７ｈ）端が約４．５〜６ｃｍの間隔で、足〜足首部（７ａ）端では約１４〜１８ｃｍの間隔で適宜設けるとよい。
（ニ）横軸ＡＢ間の長さ（４ｃ）は、台座（２）の長さが１．５〜１．８ｍの例で、おおむね４８〜５４ｃｍの範囲で、体型の寸法より１〜２ｃｍほど大きめに形成するとよい。
（ホ）内側台座の仕上高（５ｈ）は、台座寸法の高さが９ｃｍで、長さが１．５〜１．８ｍの例で、後頭部（７ｈ）は切り込みなしで９ｃｍとし、背部（７ｆ）の中心では約３．４〜３．８ｃｍ、腰部（７ｅ）では約４．８〜５．６ｃｍ、臀部（７ｄ）では約３．２〜３．８ｃｍ、大腿部（７ｃ）では切込みなしで９ｃｍ、ふくらはぎ部（７ｂ）では約３．８〜５ｃｍ、かかとでは約４．５〜６ｃｍ、足・足部（７ｅ）の端部は約３．２〜５ｃｍを目安とするとよい。
（ヘ）次に、外側台座の仕上高（５ｈ）は、内側台座曲面より上げて体型に合わせるようにし、後頭部（７ｈ）は４本共同じ９ｃｍとして、背部（７ｆ）は４．２〜４．８ｃｍで、腰部（７ｅ）は約６．３〜７．０ｃｍ、臀部（７ｄ）は約４．２〜４．８ｃｍ、大腿部（７ｃ）は９ｃｍ、ふくらはぎ部（７ｂ）から足・足首部（７ａ）端部にかけては内側台座（２ａ）と同じにして、これらの寸法を目安として形成するとよい。
（ト）外側台座面を内側台座面より上げる段差は、後頭部の横軸Ｂ（４ｂ）付近では４本とも平らとし、横軸Ａ（４ａ）の腰部（７ｅ）では約１．５〜２．５ｃｍ上げ、背部（７ｆ）の中ほどでは約１〜１．５ｃｍ上げ、臀部（７ｄ）では約１〜２ｃｍ上げ、大腿部（７ｃ）では各台座（２ａ）（２ｂ）とも切込みせず９ｃｍで平らとし、ふくらはぎ部（７ｂ）及び足・足首部（７ａ）は各台座（２ａ）（２ｂ）を同じ高さに設けるとよく、コイルの高さ（１ｈ）が７ｃｍくらいになると、体型との多少の差異は吸収するので、体型と過度なちがいでなければ対応できる。
（チ）身長方向台座の曲線半径は、背部（７ｆ）では約Ｒ＝７０ｃｍ〜１００ｃｍ、頸部（７ｇ）及び腰部（７ｅ）で約Ｒ＝１０〜２０ｃｍ、臀部（７ｄ）で約Ｒ＝３０ｃｍ、大腿部（７ｃ）では一部直線でもよく、膝裏からふくらはぎ部（７ｂ）にかけて約Ｒ＝４０ｃｍ〜５０ｃｍのＳ字形で、足・足首部（７ａ）では約Ｒ＝２０ｃｍ、その他のすり付け部では約Ｒ＝８〜１６ｃｍの小さい曲線で適宜すり付け、背部（７ｆ）と隣接する頸部（７ｇ）及び腰部（７ｅ）に移行する間に約Ｒ＝３０〜５０ｃｍの曲線を挿入してすり付けてもよい。
（リ）コイルの高さ（１ｈ）は、コイル鋼線径がｄ＝２．０ｍｍの例で、後頭部（７ｈ）では約４．５〜６．５ｃｍ、頸部（７ｇ）では約７〜８ｃｍ、背部（７ｆ）では約５．５〜６．５ｃｍ、腰部（７ｅ）から足・足首部（７ａ）にかけて約７〜８ｃｍのコイルの高さでほぼよいが、強化の段階や強靭な場合は、臀部（７ｄ）及び腰部（７ｅ）に、コイル鋼線径が２．３〜２．６ｍｍで、コイルの高さ（１ｈ）を約１０〜１１ｃｍにしてもよく、４連型では全体として約４．５〜１１ｃｍの範囲とする(請求項１記載)。
(ヌ) 身長方向のコイル間隔（６ｃ）は、一般的に約４〜６．５ｃｍの範囲で連続的に配置して、足部や後頭部（７ｈ）では３．５ｃｍのコイル間隔（６ｃ）が良い場合もあり、全体として３．５〜６．５ｃｍの範囲がよい(請求項２記載)。
（ル）非振動で作用する押圧力（Ｅ）は、接触点の各部位の筋肉の強さに応じたいろいろな強さの等分布を呈すことでよい場合が多いので、一般的にはそれぞれの部位（７ａ〜７ｈ）に対応する相対的な等分布の押圧力となるような、接触部位（７）ごとに合う強さのコイルバネ（１）を設ける(請求項２記載)。
（ヲ）コイルバネ（１）の立設は、後頭部（７ｈ）は垂直或いは頭部端側に少し傾きを付けてもよく、頸部（７ｇ）及び背部（７ｆ）では垂直に設置し、腰部の横軸線Ａ（４ａ）の位置では凸面に対してそれぞれ直角に近づけて設置し、臀部（７ｄ）では垂直にし、大腿部（７ｃ）及びふくらはぎ部（７ｂ）は足方向に適宜な傾きを持たせてストレッチが働くように立設するとよい。
（ワ）同例は、縦方向と横方向に曲面を入れて複雑化するようにみえるが、内側台座（２ａ）を基本として外側台座（２ｂ）の高さを適宜決めることで、台座面の曲面はごく自然に得られる形であり、外側台座（２ｂ）の曲率を独自に設定してもよく、内側台座（２ａ）との高さ比から外側台座（２ｂ）の高さを決める設定のどちらでもよい。
（カ）同例は、睡眠の周期とされる約１時間半〜２時間の使用を基本として構成し、慣れるに従って使用時間が伸びて強くなる筋肉に合わせられるように、コイルバネ（１）の交換がかんたんにできる構造である。
【００１１】
＜第一実施形態＞第二実施例  （６連型）
（イ）同例を図９および図１０に示し、仰臥位で振動を除去する全身用の６連型で、脊柱を挟んで身長方向台座（２）を左右各３本ずつ並べ、中心寄りを内側台座（２ａ）として、中間台座（２ｂ）には４連型の外側台座（２ｂ）を当て、外側を両翼台座（２ｃ）として、身長方向台座（２）を偶数列の６列に並べて形成する(請求項２記載)。
（ロ）脊柱を挟む左右各３本ずつの身長方向台座（２ａ〜２ｃ）の間隔は、頭部（７ｈ）端にそれぞれ約１．０〜２．０ｃｍのすき間を入れ、足首部（７ａ）端では台座のすき間をゼロにして、細い足首部に合うように足・足首部（７ａ）に向かって台座の間隔をなくして接近して並べ、横のコイル間隔（６ｃ）を約３．８〜６ｃｍの範囲にして、多数のコイルバネで相対的な等分布の強さで作用するようにする(請求項２記載)。
（ハ）中心線を挟む内側台座の間隔（５ｅ）は、自然体の仰臥位が得られるように、後頭部（７ｈ）側端が約５〜６ｃｍで、足・足首部（７ａ）側端では約１５〜１８ｃｍに開く。
（ニ）各台座（２ａ，２ｂ，２ｃ）を切り込んでできる段差について、内側台座（２ａ）と中間台座（２ｂ）の２本の台座は４連タイプとほぼ同じでよく、両翼の台座（２ｃ）は中間の台座（２ｂ）より、背部（７ｆ）の中心付近で約１ｃｍ上げ、腰部（７ｅ）と臀部（７ｄ）では約１〜２ｃｍ上げ、大腿部（７ｃ）から足・足首部（７ｅ）にかけてはほぼ同じ高さでそろえるとよい。
（ホ）各台座の仕上高（５ｈ）は、台座寸法の高さが９ｃｍで、長さが約１．５〜１．８ｍの例では、台座（２ａ）（２ｂ）共に前記の４連タイプとほぼ同じで、両翼の台座（２ｃ）の仕上高（５ｈ）は、背部（７ｆ）の中心で約５．２〜５．５ｃｍ、腰部（７ｅ）で約８〜８．６ｃｍ、臀部（７ｄ）で５〜５．５ｃｍ、大腿部（７ｃ）で９ｃｍ、ふくらはぎ部（７ｂ）で約３．８〜５ｃｍ、かかとで約４．５〜６ｃｍ、足・足首部（７ｅ）の端部は約４〜５ｃｍとして、これらの寸法を目安にするとよい。
（ヘ）図１３に示す両翼の台座（２ｃ）は、少し内側に傾けて設置するとよい。
（ト）同６連タイプは、４連タイプと同様に、縦方向と横方向に曲面を入れてさらに複雑化するようにみえるが、内側台座（２ａ）を基本として中間の台座（２ｂ）と両翼台座（２ｃ）の高さを順次決めることで、台座曲面（５ｂ）はごく自然に得られる形態であり、中間台座（２ｂ）と外側台座（２ｃ）の曲率を独自に設定してもよく、内側台座（２ａ）との高さ比から各台座の高さを求めてもよい。
【００１２】
＜第二実施形態＞（１０連型）
（イ）同実施形態を図１１〜図１３に示し、仰臥位で振動を除去する全身用の１０連型で、台座曲面（５ｂ）に明確な曲線半径を設けず、前項の第一実施形態の各部位の曲面を参考にして、体型の曲面に対して曲率を小さくし、緩やかな曲面で１０連型の身長方向台座（２ｄ）を形成し、腕部を乗せて常時動きやすいように、身長方向のバネ列を偶数列の１０列に平行に並べて形成する(請求項３記載)。
（ロ）１０連型の身長方向台座（２ｄ）は、台座曲面（５ｂ）をゆるやかにすることから台座の切込みが少なく、前項０００９（ニ）に記載の台座材を横にして形成できる。
（ハ）コイル頂点曲面（６ａ）を緩やかにするように、バネ定数が約０．７Ｎ／ｍｍ以下又は前記０００８の（チ）に記載のピッチ変化のコイルバネ（１Ｂ）を約２５０〜３５０個用いて、約４．５〜６ｃｍのコイル間隔（６ｃ）で、１０列の身長方向台座に連続的に配置してマット状又はシート状になるよう立設する(請求項３記載)。
（ニ）筋力が弱い場合等において、コイルの高さ（１ｈ）が高くなると蓄えられるエネルギーが大きくなって、長時間使用すると疲労が出やすくなるため、コイルバネを大きくしないほうがよく、コイルの平均径（１ｇ）と、コイル鋼線径およびコイルの高さ（１ｈ）の関係では、代表的な例として、コイル鋼線径がｄ＝２．０ｍｍの場合、コイル平均径Ｄ（１ｇ）がＤ≒３０．５ｍｍで、コイルの高さ（１ｈ）を約８ｃｍ以下として、全体的に、５〜８ｃｍの範囲の高さとする (請求項３記載)。
（ホ）体格がよく体重の大きい場合は、コイル鋼線径をｄ＝２．３ｍｍ又は２．６ｍｍに太くしてもよく、コイルの高さ（１ｈ）を１０ｃｍほどに大きくしてもよい(請求項１記載)。
（ヘ）コイルバネのバネ定数をｋ＝０．７Ｎ／ｍｍ以下とすることで、巻きピッチ一定（１Ａ）のコイルバネでおおむね対応できるが、身体が弱い等の場合は巻きピッチ変化部（１ｆ）を付したコイル（１Ｂ）でソフト性を高めて、コイルバネがたわんだままの位置でコイルバネが身体を上げないようにすると、ポテンシャルエネルギーをうまないようにできて、コイルバネが押圧力を吸収するようになってソフトになり疲れにくい機能を有す。
【００１３】
＜第三実施形態＞（Ｖ型）
（イ）同実施形態はＶ型（９）で、図１４〜図１６に示し、前項の身長方向台座（２ａ）の後頭部（７ｈ）から大腿部（７ｃ）に至る長さを用いて、Ｖ用台座（９ａ）として横固定台座で固定し、上半身および肩甲骨用にしたものである。
（ロ）Ｖ用台座（９ａ）の長さは約０．９〜１．４５ｍの範囲がよく、一般的な長さとして約０．９５〜１．０５ｍあるいは約１．２５〜１．３ｍがよい(請求項４記載)。また、図５の身長方向台座（２）の長さと同じ長さでもよい。
（ハ）Ｖ用の台座曲面（５ｂ）は、身長方向内側台座（２ａ）のかたちに準じ、Ｖ用台座（９ａ）にスロープ（５ｇ）を付けて形成するとよい。
（ニ）Ｖ用台座（９ａ）は、その方向が、脊柱と肩甲骨の内側縁（Margo medialis）の中間を通り、自然体の仰臥で大腿部（７ｃ）の中心を通るようにし、臀部（７ｄ）から大腿部（７ｃ）の部分が上半身を安定させるように、Ｖ用台座（９ａ）の下肢端の開き（９ｆ）を決めるかたちである。
（ホ）Ｖ用台座の開き（９ｆ）は、台座の高さが９ｃｍで、厚さが３．８ｃｍ、長さが約１．３ｍの例の場合、Ｖ用台座（９ａ）の後頭部端を削って、縦方向中心線の台座の開き（９ｆ）を約０．７〜１．０ｃｍに狭め、一方、大腿部（７ｃ）端の開き（５ｅ）を約２５〜２８ｃｍにしてＶ形にする。
（ヘ）コイル鋼線径ｄは一般的にｄ＝２．０ｍｍでよいが、筋力のある場合や腰掛け部分となる臀部（７ｄ）のコイル鋼線径はｄ＝２．３又は２．６ｍｍがよい(請求項４記載)。
（ト）コイルの高さ（１ｈ）は、鋼線径がｄ＝２．０ｍｍの場合約５．５〜８ｃｍにするとよく、腰部（７ｅ）と臀部（７ｄ）は蓄えるエネルギーの大きいコイルバネ（１）が向くことから、コイル鋼線径ｄ＝２．３又は２．６ｍｍで９ｃｍほどに高くするとよく、全体的にコイルの高さ（１ｈ）を約５．５〜９ｃｍにするとよい(請求項４記載)。
（チ）バネ定数はｋ≒０．７〜１．４Ｎ／ｍｍの範囲がよく、背部（７ｆ）は約ｋ≒０．７〜０．８Ｎ／ｍｍでソフト性がよく、使用で慣れてくるに従って強いコイルバネ（１）を必要とするため、背部（７ｆ）以外のバネ定数を強めにしておいてもよい(請求項４記載)。
（リ）横固定台座は４箇所を基本とし、頸部（７ｇ）付近で固定する横固定台座１の（９ｂ）と、腰部（７ｅ）付近の横固定台座２の（９ｃ）と、臀部（７ｄ）中間の横固定台座３の（９ｄ）と、坐骨端部周辺の横固定台座４の（９ｅ）の４本で構成し、Ｖ用台座（９ａ）の長さごとに横固定台座の本数を減じてもよく、代表例として、Ｖ用台座の長さが約０．９ｍの小型の場合では、頸部（７ｇ）付近の横固定台座１（９ｂ）の１本でもよく或いは腰部の（９ｃ）若しくは坐骨端部の（９ｅ）のいずれかの１本を合わせて２本の構成でもよく、長さが約１．０〜１．１５ｍの場合は臀部（７ｄ）の中間の横固定台座３（９ｄ）を省いてもよい。
（ヌ）３本の横固定台座（９ｃ）（９ｄ）（９ｅ）のコイル配置は、Ｖ用台座（９ａ）を含めて６個並びとして設ける。
（ル）上記の３本の横固定台座の外側に設けるコイル頂点（１ａ）は、隣接するＶ用台座のコイル頂点（１ａ）より約１．５〜２．５ｃｍ高くするとよく、この場合、横固定台座面をＶ用台座面より約１．５ｃｍ前後の段差で高くしてかつコイルの高さ（１ｈ）が１ｃｍ前後大きいコイルバネ（１）を設けるとよい。
（ヲ）横固定台座の内側のコイル頂点（１ａ）は、腰部（７ｅ）の横固定台座（９ｃ）では隣接するＶ用台座のコイル頂点より約１．０〜２．０ｃｍ低くし、臀部（７ｄ）と大腿部（７ｃ）では逆に約１〜２．５ｃｍ上げて設けるとよい。
（ワ）体格のよい場合は、充分なエネルギーを蓄えられるコイルバネ（１）で、バネ定数をｋ≒１．４Ｎ／ｍｍ以上にして、コイルの高さ（１ｈ）を１０ｃｍ前後に大きくするとよい場合もある(請求項５記載)。
（カ）大腿部（７ｃ）から腰部（７ｅ）のコイルバネ（１）群が上半身を支え、背部（７ｆ）のコイルバネ群が、脊柱と肩甲骨の内側縁（Margo medialis）の中間を通って脊柱と肩甲骨に付く筋肉群を伸長し、かつ安定して、胸郭周辺を全体的にストレッチしてはたらくようにするため、臀部（７ｄ）と腰部（７ｅ）台座全体を強固に形成する。
【００１４】
＜第四実施形態＞第一実施例（台形型）
（イ）同例は台形型（１０）で、図１７に示し、主に臀部（７ｄ）と腰部（７ｅ）のストレッチ用で、身体の上位側に当たる台座の開きは脊柱をはさむようにして狭くし、身体の下位側に当たる台座の開きは大腿部（７ｃ）と臀部（７ｄ）の真ん中を通るように広くして形成し、同図は、軽量化して効率を高めるように台形型台座（１０ａ）と台形型横固定台座（１０ｂ）に段差を付けたもので、段差はなくてもよい。
（ロ）台形の開き（１０ｄ）は、身体の上位側を約８〜１２ｃｍとし、身体の下位側は約２５〜２８ｃｍの開き（１０ｄ）がよく、台座の長さ（１０ｃ）は４５ｃｍ前後がよく、台座の仕上高（５ｈ）は約３ｃｍ〜６．５ｃｍ以内がよく、台座曲面（５ｂ）は約６０ｃｍ〜８０ｃｍの曲線半径で、台座曲面（５ｂ）を凸型にする。
（ハ）主となる臀部（７ｄ）及び腰部（７ｅ）用では、鋼線径をｄ＝２．３ｍｍ以上にして、強めのコイルバネ（１）でバネ定数としてｋ≒１．４Ｎ／ｍｍ以上がよく、コイルの高さ（１ｈ）を約９〜１１ｃｍの範囲にするとよく、コイル間隔（６ｃ）は約５ｃｍ前後がよく、１列のコイルの使用個数は約８〜１０個がよく、体格がよく筋力のある場合は、台座の長さ（１０ｃ）を５０ｃｍほどに長くしてもよい(請求項５記載)。
（ニ）全身に応用する場合は、ｄ＝２．０ｍｍのコイル鋼線径がよく、バネ定数をｋ≒０．７〜１．２Ｎ／ｍｍ程度と小さくし、コイルの高さ（１ｈ）を約６〜８ｃｍと少し低めにするとよく、１列のコイルバネの使用個数は約９個がよい (請求項４記載)。
（ホ）コイルバネ（１）と台座（１０ａ）を含めた全高さ（１０ｅ）は約１２〜１５ｃｍがよく、大きい体型では全高さ（１０ｅ）が１５ｃｍより少し高くなってもよく、全身に応用する場合は、台形型の全高さ（１０ｅ）を約１０〜１２ｃｍに小さくするとよい。
（ヘ）強い筋力の拘縮性やしこりに対しては繰り返しが多くなるため、大きいコイルバネ（１）でバネ定数を大きめにして効率的にするとよく、筋力のあまり強くない場合でも、ある程度強めのコイルバネ（１）がよい。
（ト）同例は、股関節後方の大腿・坐骨部周辺や股関節を挟んで前方部に位置する鼠径靭帯周辺の拘縮性に対して、仰臥位や伏臥位等でさり気なくつづけて使用でき、この股関節周辺は、股関節症やヘルニア等が治癒できない主要な原因部位となり、深部のため手技・治療がほとんどできない部位で、生活活動はきわめて困難であるが「歩くことができる」という現実により、その原因の大半が筋肉の拘縮等であることから、筋肉の拘縮性は長期にわたって刺激を繰り返すことで改善でき、困難部位にも適合できる。
（チ）肩甲骨の内側縁（Margo medialis）に沿って片方ずつ掛けて、後頭部痛や肩甲骨痛等で頸部や肩甲骨周辺や腕部のストレッチが簡単にでき、コイルバネ頂点部の半円球形状或いは半楕円球形状を、少し円錐台形に近づけると使い方が簡単で効果的な形となる。
【００１５】
＜第四実施形態＞第二実施例（座布団型）
（イ）同例は座布団型（１１）で、図１８、図１９に示し、座椅子、事務椅子、自動車シート等或いは単独使用等、またふくらはぎ部（７ｂ）を乗せたり、腕を乗せたり、胸部に乗せてもよく、いろいろな用い方が出来る形である。
（ロ）座布団型台座（１１ａ）の本数は、３列から７列がよく、一般的の椅子用では５列がよく、自動車シート用では長距離運転における疲れや腰痛等を防止できるように約７列に少し大きくして安定させ、座布団型横固定台座（１１ｂ）に堅固に固定する。
（ハ）台座曲面（５ｂ）は、座布団型台座の幅（１１ｃ）方向に付け、同台座の奥行（１１ｄ）方向には特に付けなくてもよく、同台座曲面（５ｂ）の曲線半径及びコイル頂点曲面（６ａ）の曲線半径は約Ｒ＝６０〜１００ｃｍと緩やかな方がよい。
（ニ）同台座の仕上高（５ｈ）は中心部で約２．５ｃｍに薄くして、台座の端部では約４．５ｃｍにするとよい。
（ホ）座布団型台座の幅（１１ｃ）は、約３８〜４５ｃｍがよく、座布団型台座の奥行（１１ｄ）は、３列用では２５ｃｍ前後がよく、５列用では約３３ｃｍ前後がよく、７列用で約４５ｃｍ前後がよく、コイル間隔（６ｃ）は約４〜５ｃｍがよく、台座１本当り約８〜１０個として、全コイル数を約２４〜６０個の範囲とするとよく、コイルの高さ（１ｈ）は約５．５〜７ｃｍと低いほうがよく、バネ定数はｋ≒０．７〜１．１Ｎ／ｍｍの範囲がよい(請求項４記載)。
（ヘ）また、いろいろな後遺症などで長期の座椅子生活用とするには、５列用の複数列を中心に(請求項４記載)、バネ定数を０．７〜０．５Ｎ／ｍｍほどにするとよい(請求項３記載)。
（ト）同例のサイズについて、単独使用の場合は自由なサイズでよいが、座椅子、事務椅子、自動車シート等に用いる場合は、椅子・シート等の座曲面（１１ｅ）に合わせて形成し、またそれらの本体に直接組み込むことができる。
【００１６】
＜第四実施形態＞第三実施例（平行２列型）
（イ）同例は台座平行型（１２）で、図２０に示し、２本の平行型台座（１２ａ）を平行に設けるタイプで、コイルバネ（１）を２列平行にして、平行型横固定台座（１２ｂ）で固定し、関節間の長い筋肉を同時に押圧できて、下肢部では横にして両下肢を乗せておくことができるように、台座面直線（５ｃ）で、コイル頂点（１ａ）を水平にする。
（ロ）平行型台座の長さ（１２ｃ）は、約３８〜４５ｃｍがよい(請求項４記載)。
（ハ）同台座の間隔（１２ｄ）は約１３〜１７ｃｍがよく、台座の仕上高（５ｈ）は約３．５〜４．５ｃｍがよい。
（ニ）コイルの高さ（１ｈ）は約６〜８ｃｍがよく、バネ定数はｋ≒０．６〜１．０Ｎ／ｍｍで少しソフト性がよく、台座１本当りのバネ個数を約８〜１０個にして、全個数約１６〜２０個にするとよい(請求項３から請求項４に記載)。 
（ホ）多くの症状が改善してゆく段階で、深部に潜在している拘縮塊等はやや遅れて顕著となりやすいため、いろいろな施術治療等で取り残されやすい大腿部（７ｃ）やふくらはぎ部（７ｂ）を乗せて、押圧の施術用の補助具として用いてもよく、大腿・股関節部（７ｃ）を乗せて手技ではきわめて困難な部位を、休息時にじっくりと用いる形にしている。
【００１７】
＜第四実施形態＞の第四実施例（平行３列型）
（イ）同例は台座平行型（１２）で、図２１に示し、３本の平行型台座（１２ａ）を平行に設けるタイプで、前項に記載の２列の台座を３列として、平行型横固定台座（１２ｂ）で固定し、よりソフトにして一般向けとしたものである。
（ロ）バネ定数はｋ≒０．６〜１．０Ｎ／ｍｍがよい(請求項３から請求項４に記載)。
（ハ）３列にした台座の間隔（１２ｄ）は、前記の平行２列型より１〜２ｃｍほど狭くして、大腿部（７ｃ）を乗せて長時間にわたる就寝中の使用が可能になるように、平行型台座の奥行（１２ｅ）を約２４〜３０ｃｍとやや狭くする。
（ニ）呼吸等に重要な胸郭部等の押圧施術の困難な部位用として、昼夜を問わず病弱者にも無理なく使用できるようにする場合、バネ定数をｋ≒０．４〜０．６Ｎ／ｍｍにするとよい (請求項３記載)。
【００１８】
＜第四実施形態＞第五実施例（枕型）  
（イ）同例は枕型（１３）で、図２２に示し、枕型台座（１３ａ）は枕用の他に、ふくらはぎ部（７ｂ）や腕置き台或いは足裏等と細かい部位に用いる形にしている。
（ロ）枕型台座の長さ（１３ｂ）は約２２〜２６ｃｍがよく、枕型台座の幅（１３ｃ）は約９〜１０ｃｍと小さい方がよく、厚さが約４ｃｍ前後の台座材を横にして端部は削らないで、台座の仕上高（５ｈ）を約２ｃｍ前後に切り込んで形成するとよい。
（ハ）台座曲面（５ｂ）及びコイル頂点曲面（６ｃ）は、曲線半径で約１５〜２５ｃｍほどで、中心付近のコイルバネ（１）はほぼ垂直に設けて、その他のコイルバネはやや中心に向けて後頭部（７ｈ）に均等に当たるように適宜傾けるとよい。
（ニ）同例のコイルバネ（１）は２列がよく、コイルバネの配置個数は台座中心の左右対称に偶数の４個、８個、１２個をえらべる (請求項４記載)．
（ホ）コイルの高さ（１ｉ）は約５〜７ｃｍがよく、バネ定数はＫ≒０．６〜０．８Ｎ／ｍｍのソフトなコイルバネ（１）がよい (請求項３から請求項４に記載)。
【００１９】
＜第四実施形態＞の第六実施例（携帯凸型）
（イ）同例は携帯型（１４）の凸型台座（１４ａ）で、図２３に示し、置いた状態でも安定するようにＴ型とし、また、小型にして便利なように同台座の長さ（１４ｃ）を２０ｃｍほどの大きさにするとよい(請求項４記載)。
（ロ）同凸型では、台座曲面（５ｂ）の曲率を大きくするとよく、その場合の台座の仕上高（５ｈ）を、凸の中央部で約４〜５ｃｍ、端部で約２〜２，５ｃｍにするとよい。
（ハ）コイルの高さ（１ｈ）は約５．５〜７ｃｍがよく、強いコイルバネをうまく使うには握力が必要となるため、バネ定数としては約ｋ≒０．７〜１．０Ｎ／ｍｍがよく、コイルバネの使用個数は約３〜５個と少ない方が使いよい(請求項４記載)。
（ニ）コイル間隔（６ｃ）は狭いほうがよく、約３．５〜５ｃｍがよい(請求項２記載)。
（ホ）同例は、足裏から肩部等の細かい部位用とし、腰掛時の大腿部（７ｃ）や臀部（７ｄ）、仰臥位での肩甲骨外側縁または枕代わりに後頭部にもあてることができ、取っ手（１４ｄ）は少し薄めにして、ジョイント（８ｂ）は着脱自在でもよく固定でもよい。
【００２０】
＜第四実施形態＞第七実施例（携帯凹型）
（イ）同例は凹型台座（１４ｂ）で、図２４に示し、携帯型にもでき、腰部（７ｅ）や大腿部（７ｃ）または腋下部等に合うように、台座両端の高さを約８ｃｍ、中心部を約３ｃｍにして凹曲面を形成し、その曲線半径を約Ｒ＝１５〜１８ｃｍの曲面にするとよい。
（ロ）同台座の長さ（１４ｃ）を約２５〜２８ｃｍと小型化して、約４〜５個のコイル個数で、コイルの高さ（１ｈ）を約５．５〜７ｃｍの範囲であまり高くせず、バネ定数を約０．７〜０．８Ｎ／ｍｍと小さくすると使いやすくてよくなる(請求項４記載)。
（ハ）凹曲面でのコイル間隔（６ｃ）は、コイル頂点（１ａ）が接近すると使いよいことから、コイル頂点の離れが約２〜３ｃｍと小さくなるように配置し、その場合、台座面のコイル間隔（６ｃ）が約６．５ｃｍと大きくなってもよい(請求項２記載)。
【００２１】
＜第四実施形態＞の第八実施例（まごの手型）
（イ）同例はまごの手型（１４ｅ）で、図２５に示し、適宜な曲りを付した取っ手（１４ｄ）の先端部にコイルバネ（１）を設けて、背面用とし、コイルバネ（１）の座屈現象を減らすように、バネ定数が約０．７〜１．４Ｎ／ｍｍで、コイル平均径（１ｇ）がＤ≒３０．５ｍｍで、コイルの高さ（１ｈ）を約５，５〜７ｃｍにするとよい (請求項４記載)。
（ロ）背面を押圧するため、押圧の軸がいろいろな方向を向いて斜めにもなりやすく、コイルバネ（１）がかたむいてもすべらないように、コイル最上部（１ｂ）を半円球形状或いは半楕円球形状より少し円錐台形に形成するとよい。
【００２２】
＜第五実施形態＞第一実施例（手持ち施術型ａ）
（イ）同手持ち施術型ａは、手持ち施術型（１５）の基本形で、図２６に示し、同手持ち施術型ａの台座（１５ａ）は、図４、図５に示す全身用の身長方向台座（２ａ）の腰部（７ｅ）から頸部（７ｇ）に相当する部分とほぼ同じで、主に背部（７ｆ）の脊柱脇を縦方向同時に押圧できる形や手技ではきわめて困難な股関節部への押圧ができる形とし、これらの部位特有な複雑な皮膚直角面への押圧を、手技において主となる２本の拇指に対しておおよそ８倍以上の範囲を、同時に直角方向に近づけて押圧するものである。
（ロ）同台座の長さ（１５ｂ）は約７５〜８５ｃｍがよく、コイル鋼線径は一般的にｄ＝２．０ｍｍでよく、コイルの高さ（１ｈ）は約７〜８ｃｍがよく、コイルバネ（１）の使用個数は約１６〜１９個がよい(請求項４記載)。
（ハ）強い握力の持ち主が、強い筋肉に対応するには、コイル鋼線径をｄ＝２．３〜２．６ｍｍの太さにして、コイルの高さ（１ｈ）を１０ｃｍ以上にするとよい (請求項５記載)。
（ニ）身体の状態によっては手技のとどかない部位において、約１〜２ｋｇの弱い押圧力から５０ｋｇ超の非常に強い押圧力まで広範囲の力を要す部位が多いことから、バネ定数として約ｋ≒０．７〜１．４Ｎ／ｍｍまたは臀部（７ｄ）や腰部（７ｅ）等ではｋ≒１．５Ｎ／ｍｍ以上といろいろな強さで、幅広く対応できる形にしたものである(請求項４記載から請求項５に記載)。
（ホ）同台座（１５ａ）端にすべり止め・切欠き（１５ｄ）を設け、押す力（Ｆ）が有効に働くように、適宜に着脱式に取っ手（１４ｄ）を付けて、安定させるとよい。
【００２３】
＜第五実施形態＞第二実施例（手持ち施術型ｂ）
（イ）同例は、手持ち施術型ｂとして図２７に示し、二つの凸型曲線を配置して中間に凹型曲線を設け、その凸部と凹部の段差は２ｃｍ前後にして、身体の複数の曲面に対して押圧範囲を広げ、下腿部の前脛骨筋、胸部や腋下部、腕部、伏臥位での両足裏を同時に均等な押圧ができるように形成したものである。
（ロ）同台座の長さ（１５ｂ）は接触点をあまり広げないように約６５〜７５ｃｍにするとよく、コイルの高さ（１ｈ）は約６〜８ｃｍがよく、バネ定数は約ｋ≒０．７〜１．０Ｎ／ｍｍがよく、コイル鋼線径は通常ｄ＝２．０ｍｍがよく、全体的に強さを抑えて、コイルバネ（１）の使用個数を約１２〜１５個の範囲にするとよい(請求項４記載)。
（ハ）握力や筋力が小さい場合は、ｄ＝１．８ｍｍ以下のコイル鋼線径が身体に合って、使いよくなることもある。
（ニ）同台座（１５ａ）端に持ちやすい形状のすべり止め・切欠き（１５ｄ）を設け、適宜に着脱式に取っ手（１４ｄ）を用いるとよい。
【００２４】
＜第五実施形態＞第三実施例（手持ち施術型ｃ）
（イ）同手持ち施術型ｃを図２８に示し、一連の治療や押圧等の施術を仕上げてゆくためのやや専門的な手持ち施術型（１５）で、コイル密着時周辺部と接触しないように、台座の中央付近に台座の突出部（１５ｃ）を設け、深部の筋肉を調べるときに用いて同時に押圧もでき、主に、長期治療の後半に入り臀部（７ｄ）や腰部（７ｅ）、足裏部等の深部の拘縮やしこりが鮮明になったときの深部のしこりなどに対応させる型である。
（ロ）押す力（Ｆ）を約１ｋｇの弱い力から約５〜２０秒の間で約４０〜５０ｋｇ超の強い力に上げて、短いときは数秒ほどで、長い場合は１〜３分ほどに時間をのばすことができてじっくり押圧して、硬くなった筋肉を伸長できるようにしたもの(請求項５記載)。
（ハ）コイルバネ立設部を約３〜６ｃｍ突出させ、コイルバネの使用個数が約１〜５個で、コイルの高さ（１ｈ）が９ｃｍ以上で充分な押圧が可能になることから約９ｃｍ以上にコイルバネ（１）を大きくするとよい(請求項５記載)。
（ニ）強い握力で、深い筋肉を押圧してよい効果を得るには、コイル鋼線径がｄ＝２．３〜２．９ｍｍの太さで、コイル平均径をＤ≒３２〜４０ｍｍの範囲に広げて、バネ定数をｋ≒１．４〜２．０Ｎ／ｍｍにするとよい(請求項５記載)。
（ホ）同例はコイル個数と握力に左右され、同図の４個の場合では、握力が４０ｋｇ以下の場合はバネ定数を大きくしないで、バネ定数的にはおおむねｋ≒１．２Ｎ／ｍｍ前後が目安となり(請求項４記載)、握力が６０ｋｇレベルではｋ≒１．６Ｎ／ｍｍ前後が目安となり(請求項５記載)、手技の場合、コイルバネの支持形態としてはコイルバネの両端が可動であることから、各握力が支持できる強さのバネ定数とするとよい。
（ヘ）４個のコイルバネを角錐形に立設して、４個のバネの合成軸で安定しているようであっても、体内に余分な内圧等が存在する場合は、４個のバネ群でも同時に座屈がおこることから、コイルの縦横比を小さくしないではじける現象を阻害しない。
（ト）一方、押圧の施術を目的にする場合は、コイルバネを密着できるほど押圧力が浸透し、密着時間が持続できるほど蓄えられたエネルギーを多く放出できることから、バネの縦横比を小さくしてはじけにくくしてもよい。
（チ）同例は、発明の効果の項の０００６（ヌ）に記載の改善する「みちすじ」を特定し、約４０〜５０ｋｇ超の押圧力は年齢や性別に関係なく、ほぼ共通して必要とするものであり、かつ安全で正確に押圧力を伝達する器具となる。
【００２５】
コイルバネの適用範囲の実施形態
（イ）図２９〜３０に示すグラフは、バネ定数とコイルの有効巻数の代表的な関係で、ばね定数の基本式ｋ＝Ｐ／δ＝Ｇｄ4／8ＮａＤ３により、バネ材料とするバネ用ステンレス鋼線の横弾性係数Ｇ＝６８５００Ｎ/mm2 ,により有効巻数（Ｎａ）を代入して求めたものである。
（ロ）図２９はコイル鋼線径がｄ＝２．０ｍｍの例で、ピッチ角を大きくしなければかなりの耐久性があって、コイルの高さが約８ｃｍ以下において、一般的な場合に適する。
（ハ）図３０はコイル鋼線径がｄ＝２．３ｍｍの例で、ｄ＝２．０ｍｍの能力を補うときや、体格が大きい場合や強い筋力の場合に適し、ｄ＝２．０ｍｍに対して応用範囲が飛躍的に拡大する。
【図面の簡単な説明】
【００２６】
【図１】本発明の圧縮コイルバネ  （巻きピッチ一定）  側面図
【図２】同      〃          （巻きピッチ変化）    〃
【図３】同      〃            上部の作用        概要図
【図４】同  身長方向台座    （全身用）          斜視図
【図５】同      〃              〃              側面図
【図６】同  ＜第一実施形態＞第一実施例（４連型）（全身用）平面図
【図７】同  ＜    同      ＞    〃        〃        〃    断面図１
【図８】同  ＜    同      ＞    〃        〃        〃    断面図２
【図９】同  ＜    同      ＞第二実施例（６連型）    〃    平面図
【図１０】同  ＜    同      ＞    〃        〃        〃    断面図
【図１１】同  ＜第二実施形態＞          （１０連型）  〃    側面図
【図１２】同  ＜    同      ＞            〃          〃    平面図
【図１３】同  ＜    同      ＞            〃          〃    断面図
【図１４】同  ＜第三実施形態＞          （Ｖ型）（上半身用）平面図
【図１５】同  ＜    同      ＞            〃          〃    側面図
【図１６】同  ＜    同      ＞            〃          〃    断面図
【図１７】同  ＜第四実施形態＞第一実施例  （台形型）        斜視図
【図１８】同  ＜    同      ＞第二実施例  （座布団型）      側面図
【図１９】同  ＜    同      ＞    〃          〃            平面図
【図２０】同  ＜    同      ＞第三実施例  （平行２列型）    斜視図
【図２１】同  ＜    同      ＞第四実施例  （平行３列型）      〃
【図２２】同  ＜    同      ＞第五実施例  （枕型）            〃
【図２３】同  ＜    同      ＞第六実施例  （携帯凸型）        〃
【図２４】同  ＜    同      ＞第七実施例  （携帯凹型）        〃
【図２５】同  ＜    同      ＞第八実施例  （まごの手型）      〃
【図２６】同  ＜第五実施形態＞第一実施例  （手持ち施術型ａ）  〃
【図２７】同  ＜    同      ＞第二実施例  （    〃      ｂ）  〃
【図２８】同  ＜    同      ＞第三実施例  （    〃      ｃ）  〃
【図２９】同  コイルバネの適用範囲（材料径ｄ＝２．０ｍｍ）  参考図
【図３０】同        同            （材料径ｄ＝２．３ｍｍ）    〃
【符号の説明】
【００２７】
１    圧縮コイルバネ    
１Ａ  ピッチ一定のコイルバネ          
１Ｂ    〃  変化のコイルバネ
１ａ  コイル頂点              
１ｂ    〃  最上部（半円球形状或いは半楕円球形状）          
１ｃ    〃  有効部                      
１ｄ    〃  固定部                      
１ｅ  ピッチ一定部                
１ｆ    〃  変化部                
１ｇ  コイル平均径（Ｄ）                
１ｈ    〃  の高さ                        
１ｉ    〃  頂点の外径（Ｄ１）          
１ｊ  巻きピッチ              
１ｋ  ピッチ角                  
１ｍ  座巻部
２    身長方向台座            
２ａ  内側台座（４連型，６連型）        
２ｂ  外側台座（４連型）または中間台座（６連型）                      
２ｃ  両翼台座（６連型）          
２ｄ  １０連型の身長方向台座                                                      
３ａ  横支持台座（Ａ）    
３ｂ      〃    （Ｂ）  
３ｃ      〃    （１０連用）              
４ａ  横軸Ａ              
４ｂ    〃Ｂ            
４ｃ    〃ＡＢ間  
５ａ  台座面                            
５ｂ    〃曲面                      
５ｃ  台座面直線                    
５ｄ  台座曲面の接点                  
５ｅ  中心線を挟む内側台座の間隔        
５ｆ  左右の内側台座と外側台座の間隔            
５ｇ  スロープ            
５ｈ  台座の仕上高
６ａ  コイル頂点曲面        
６ｂ        〃      の接点      
６ｃ  コイル間隔
７    接触部位
７ａ  足・足首部                        
７ｂ  ふくらはぎ部          
７ｃ  大腿部                            
７ｄ  臀部                    
７ｅ  腰部                              
７ｆ  背部                
７ｇ  頸部                              
７ｈ  後頭部
８ａ  枕等        
８ｂ  ジョイント  
９    Ｖ型
９ａ  Ｖ用台座                            
９ｂ  横固定台座１                  
９ｃ      〃    ２                    
９ｄ      〃    ３                  
９ｅ      〃    ４  
９ｆ  Ｖ用台座の開き                
１０    台形型                          
１０ａ    〃  台座                      
１０ｂ    〃  横固定台座                      
１０ｃ    〃  台座の長さ                
１０ｄ    〃  台座の開き      
１０ｅ  台形型の全高さ                
１１    座布団型        
１１ａ    〃    台座                  
１１ｂ    〃    横固定台座                
１１ｃ    〃    台座の幅                
１１ｄ    〃    台座の奥行
１１ｅ  椅子・シート等の座曲面  
１２    台座平行型            
１２ａ  平行型台座                      
１２ｂ    〃  横固定台座                      
１２ｃ    〃  台座の長さ                
１２ｄ    〃  台座の間隔      
１２ｅ    〃  台座の奥行
１３    枕型                    
１３ａ    〃台座                      
１３ｂ    〃台座の長さ                        
１３ｃ    〃台座の幅                                            
１４    携帯型                
１４ａ  携帯凸型台座            
１４ｂ   〃凹型台座
１４ｃ  携帯型台座の長さ              
１４ｄ  取っ手                                  
１４ｅ  まごの手型
１５    手持ち施術型          
１５ａ      〃      台座                
１５ｂ      〃      台座の長さ                  
１５ｃ  台座の突出部                    
１５ｄ  すべり止め・切欠き            
１６ａ  たわみ減削部                    
１６ｂ  非たわみ部                    
Ｃ  コイル鋼線のねじれによるせん断応力  
Ｄ  コイル鋼線のねじれの縮小  
Ｅ  非振動で作用する押圧力    
Ｆ  押す力      
【図１】
0004679559.tif 000002
【図２】
0004679559.tif 000003
【図３】
0004679559.tif 000004
【図４】
0004679559.tif 000005
【図５】
0004679559.tif 000006
【図６】
0004679559.tif 000007
【図７】
0004679559.tif 000008
【図８】
0004679559.tif 000009
【図９】
0004679559.tif 000010
【図１０】
0004679559.tif 000011
【図１１】
0004679559.tif 000012
【図１２】
0004679559.tif 000013
【図１３】
0004679559.tif 000014
【図１４】
0004679559.tif 000015
【図１５】
0004679559.tif 000016
【図１６】
0004679559.tif 000017
【図１７】
0004679559.tif 000018
【図１８】
0004679559.tif 000019
【図１９】
0004679559.tif 000020
【図２０】
0004679559.tif 000021
【図２１】
0004679559.tif 000022
【図２２】
0004679559.tif 000023
【図２３】
0004679559.tif 000024
【図２４】
0004679559.tif 000025
【図２５】
0004679559.tif 000026
【図２６】
0004679559.tif 000027
【図２７】
0004679559.tif 000028
【図２８】
0004679559.tif 000029
【図２９】
0004679559.tif 000030
【図３０】
0004679559.tif 000031